(57)【特許請求の範囲】
【請求項１】
方行屋根または寄棟屋根を基本構造とする屋根の四方に流れる各屋根面の同じ高さ位置に屋根を一周するように四角枠状に梁が配置されるとともに、該梁の上に、四方に流れる上部屋根面を備えた上部屋根ユニットが配置された屋根構造であって、
上記上部屋根ユニットの四方に流れる四つの上部屋根面がそれぞれ上部屋根パネルから構成され、かつ、各上部屋根パネルのうちの少なくとも一部の屋根パネルどうしが、隅棟などの棟の部分で丁番により互いに接合されるとともに、接着剤により互いに接合されていることを特徴とする屋根構造。
【請求項２】
請求項１記載の屋根構造において、
四角枠状に配置された上記梁の少なくとも一部が、方行屋根または寄棟屋根の屋根面の傾斜方向に沿った登り部と、該登り部の隅棟の位置に配置された上端部から水平に延出する水平部とからなるベント梁の水平部であることを特徴とする屋根構造。
【請求項３】
請求項１または２記載の屋根構造において、
上記上部屋根ユニットの各上部屋根面の少なくとも一部の上部屋根面を形成する二等辺三角形の上部屋根パネルが、二枚の直角三角形の分割屋根パネルをその垂辺どうしで接合することにより形成され、かつ、二つの分割屋根パネルどうしの接合部分の裏面側に、接合部分に沿うとともに、二つの分割屋根パネルに接合された補強部材が設けられていることを特徴とする屋根構造。
【請求項４】
請求項３記載の屋根構造において、
上記四角枠状の梁の上面には、屋根面の傾斜に対応して傾斜した上面を有するとともに、上記上部屋根ユニットの各上部屋根面を形成する上部屋根パネルの下端部が載せられる桁材が設けられ、
上記補強部材の下端部が上記桁材の屋根の頂点部分側を向いた側面にほぼ当接するようになっていることを特徴とする屋根構造。
【請求項５】
請求項１〜４のいずれか一つに記載の屋根構造を有する屋根の施工方法であって、
互いに斜めに接合されることにより接合部が隅棟などの棟となる少なくとも一対の上部屋根パネルを、平面上で、互いに突き合わせるようにして位置合わせするとともに上部屋根パネル同士を丁番により接合部を中心に回動可能に仮接合する仮接合工程と、
該仮接合工程の後に、上部屋根パネル同士の接合部を持ち上げることにより、予め斜めに形成された上部屋根パネルの接合部側の端面同士を面接触させて、上部屋根パネル同士を接合する本接合工程と、
上記本接合工程で接合された上部屋根パネルを含む上記上部屋根ユニットの構築に必要な上部屋根パネルを全て接合して上記上部屋根ユニットを構築するユニット構築工程と、
上記上部屋根ユニットを梁上に吊り上げて設置するユニット設置工程と、
を備えていることを特徴とする屋根の施工方法。
【発明の詳細な説明】
【０００１】
【発明の属する技術分野】
本発明は、方行屋根または寄棟屋根を基本構造とする建築物の屋根構造及び屋根の施工方法に関する。
【０００２】
【背景の技術】
従来、方行屋根または寄棟屋根を基本構造とする建築物を構築する場合の屋根の施工方法は、工業化施工の要請から、例えば、２本のくだり棟（隅棟）とその交わる頂点部分とで形成される三角形の屋根面に対応した形状の屋根パネルを、工場等の製造場所で、予め、建築物の屋根構造に合わせた形状に一体に接合して屋根ユニットを形成し、該屋根ユニットを施工現場に運搬して屋根を施工する場合がある。
【０００３】
例えば、特開平９−６０１７９号公報の従来技術においては、４本のくだり棟が一つの頂点部分で交わる方行屋根の施工において、２本のくだり棟と該くだり棟が交わる頂点部分とで形成される屋根面に対応した形状の４枚の屋根パネルを、予め、工場にて一体に接合した屋根ユニットを形成し、該屋根ユニットにより方行屋根を施工することが開示されている。
上記構成によれば、建築物の屋根面に跨って前記屋根ユニットを固定するだけで良いので、屋根の施工の工業化と工期短縮を図ることができる。
【０００４】
【発明が解決しようとする課題】
ところで、前記公報の従来技術においては、屋根ユニットは立体的に形成することになり、屋根パネル同士をくだり棟の角度に合わせて、立体的に位置合わせをしながら互いに斜めに接合することになる。そして、このように、屋根パネル同士を立体的に接合する作業は、寸法精度を確保しながら接合することになるために、熟練や工夫を要することが多いとともに、作業負荷が大きくなり、工期短縮を図りにくいものとなりやすい。
従って、より簡易的な方法で、寸法精度を確保しながら所定の角度で互いに接合することができれば、作業負荷を大幅に低減することができ、工期短縮を図ることができる。
なお、屋根パネル同士を互いに斜めに接合するには、例えば、釘打ちなどの機械的締結方法と各種接着剤による接着とを同時に用いて一体に接合することができる。
【０００５】
本発明は上記事情に鑑みてなされたものであり、屋根パネル同士を所定の角度に容易に接合することができるとともに、寸法精度を容易に確保することができる、屋根構造及び屋根の施工方法を提供することを目的とする。
【０００６】
【課題を解決するための手段】
請求項１記載の屋根構造１０は、例えば、図１、２に示すように、方行屋根または寄棟屋根を基本構造とする屋根の四方に流れる各屋根面１０Ｃの同じ高さ位置に屋根を一周するように四角枠状に梁（水平部１Ａｂ）が配置されるとともに、該梁（１Ａｂ）の上に、四方に流れる上部屋根面を備えた上部屋根ユニット１１が配置された屋根構造１０であって、
上記上部屋根ユニット１１の四方に流れる四つの上部屋根面がそれぞれ上部屋根パネル１２から構成され、かつ、各上部屋根パネル１２のうちの少なくとも一部の屋根パネルどうしが、隅棟１０Ｂなどの棟の部分で丁番１３により互いに接合されるとともに接着剤により互いに接合されていることを特徴とする。
【０００７】
例えば、平面上で、屋根パネルどうしを突き合わせて、丁番１３により仮接合した後に、丁番１３により互いに回動自在に接合された、二枚の屋根パネルの互いの角度を決めて、例えば、接着剤と釘などを用いて、本接合することができる。
そして、容易に、隅棟１０Ｂなどの棟の部分を形成するように接合することができるので、上部屋根ユニット１１を容易に形成することができる。
従って、上記屋根パネルどうしを立体的に斜めに接合するために、立体的に位置あわせする作業などを軽減することができ、上部屋根ユニット１１を形成する際の効率化を図ることができる。
【０００８】
また、丁番１３は、上記屋根パネルどうしを所定の角度で互いに接合できれば、どのように配置しても良く、限定されるものではない。
例えば、接合する屋根パネルを、平面上で、位置合わせをするとともに互いに突き合わせるようにして配置して、接合部分に平面上で丁番１３を取り付けるようにしても良い。この場合には、上記屋根パネルどうしの位置あわせは、平面上で行うことができるために極めて容易であるとともに、丁番１３を取り付けるにも、平面上に配置した上記屋根パネルの上面に取り付ければ良いので、極めて容易である。
そして、丁番１３は回動可能となっているので、丁番１３により接合された上記屋根パネルどうしの接合部分を持ち上げるようにすると、上記屋根パネルの接合部側の端面同士が面接触するようになって、所定の角度にすることができ、上記屋根パネルどうしを上記棟に合わせて仮接合することができる。
また、屋根パネルは平面上で位置合わせがされているので、容易に、接合精度を確保することができる。
【０００９】
また、上部屋根ユニット１１の四方に流れる四つの屋根面を構成する上部屋根パネル１２は、必ずしも１枚の上部屋根パネルから構成される必要はない。すなわち、方行屋根または寄棟屋根を基本構造とする屋根の四方に流れる各屋根面１０Ｃに対応する形状にできれば、複数のパネルを互いに接合してなる上部屋根パネル１２を用いて上部屋根ユニット１１を形成しても良い。
【００１０】
この場合には、例えば、上部屋根パネル１２の裏面に、複数のパネルの接合部分に渡るように、補強用の部材を備える構成としても良い。このような構成によれば、上部屋根ユニット１１に、運搬や施工の際にも充分な剛性を付与することができる。
【００１１】
また、上部屋根パネル１２どうしを丁番１３により接合するときには、例えば、上部屋根パネル１２の端面どうしを、隅棟１０Ｂに合わせて接合することになる。しかし、一般に、パネルの端面はパネルの側面に対して直角になっているので、上部屋根パネルどうしを接合するときには、接合部分に、楔状の隙間ができることになる。
従って、この楔状の隙間を埋める桁材を、予め、屋根パネルの端面に取り付ける構成としても良い。このような構成によれば、上部屋根パネル１２どうしの接合部分をより強固に接合することができる。さらに、接合部分に渡るように、裏面から接合部分を固定する部材（例えば、金具等）を備える構成としても良い。
【００１２】
また、上部屋根パネルのうちの少なくとも一部の屋根パネルとは、上述のように、上部屋根ユニット１１の一つの上部屋根面が、複数の屋根パネルを互いに接合してなっている場合に、丁番１３により接合する屋根パネルは、隅棟１０Ｂなどの棟となる部分であれば、特に限定されない意味である。
すなわち、例えば、予め、上部屋根面となる複数の屋根パネルを接合した後に、上記棟となる部分で丁番１３により接合しても良いし、上記棟となる部分の屋根パネルのみを丁番１３により接合した後に、その他の屋根パネルを接合するようにしても良い。
【００１３】
また、隅棟１０Ｂなどの棟の部分とは、例えば、隅棟１０Ｂのように、少なくとも二枚の屋根パネルが、所定の角度を持つようにして互いに斜めに接合されて、棟となる部分を広く意味する。
すなわち、請求項１記載の屋根構造において、丁番１３により接合される部分は限定されるものではなく、屋根パネルが互いに斜めに接合されている部分であれば、丁番１３により接合する本発明の構成を好適に適用可能である。
【００１４】
また、上記構成によれば、方行屋根または寄棟屋根を基本構造とする屋根の四方に流れる各屋根面１０Ｃの同じ高さ位置に、屋根を一周するように四角枠状に梁（１Ａｂ）が配置されている。従って、上部屋根ユニット１１を、四角枠状に配置された梁（１Ａｂ）の上に設置して固定することができ、好適に、方行屋根または寄棟屋根を基本構造とする屋根構造１０を形成することができる。
【００１５】
また、丁番１３により接合された上記屋根パネルの接合部分を持ち上げるようにすると、丁番１３が回動するとともに、上部屋根パネル１２の自重により、上部屋根パネル１２どうしが互いに押された状態となって、仮接合された部分が圧締されることになる。
そして、接着剤により屋根パネル同士を互いに接着するには、屋根パネル同士を圧締して、接合部分に力を加えることが好ましいが、上記屋根パネルの接合部分に接着剤を塗布しておいた後に、接合部分を持ち上げるようにすることで、接合部分が圧締されて、好適に接着することができる。
【００１６】
また、上部屋根ユニット１１は、予め、工場等の製造場所で製造しておき、次いで、上部屋根ユニット１１を施工現場に運搬して施工することが好ましい。このようにすれば、施工現場での施工の負荷を低減して工期短縮を図ることができる。
しかし、立体的に組まれた上部屋根ユニットは、ある程度大きな空間を占有することになるためにトラック等で搬送しずらいので、工場等の製造現場で、予め、上部屋根パネル１２を製造し、次いで、これらを建築現場まで搬送し、建築現場において、丁番１３により仮接合するとともに接着剤を用いて互いに接合しても良い。
【００１７】
なお、屋根パネルとは、周知のパネル工法で用いられるパネルであって、建築物の屋根構造１０を形成できるものである。
例えば、矩形状のパネルの場合には、縦横に框材を組んで構築した枠体の内部に、縦横に補助棧材を配置するとともに、枠体の少なくとも一方の側面に面材を取り付けたものを好適に用いることができる。また、三角形状のパネルの場合には、前記構成に加えて、框材や補助棧材を斜めに配置する構成を併用することになる。
【００１８】
請求項２記載の屋根構造１０は、例えば、図４、５に示すように、請求項１記載の屋根構造において、四角枠状に配置された上記梁の少なくとも一部が、方行屋根または寄棟屋根の屋根面１０Ｃの傾斜方向に沿った登り部１Ａａと、該登り部１Ａａの隅棟１０Ｂの位置に配置された上端部から水平に延出する水平部１Ａｂとからなるベント梁１Ａの水平部１Ａｂであることを特徴とする。
【００１９】
上記構成によれば、ベント梁１Ａの水平部１Ａｂにより、四角枠状に配置された梁（１Ａｂ）の少なくとも一部が形成されているので、請求項１と同様の効果を奏することができる。
また、ベント梁１Ａには、屋根の傾斜方向に沿った登り部１Ａａが備えられている。従って、例えば、水平に延出する梁と鉛直に伸びる梁とを縦横に組み合わせて、小屋組を支持する梁を形成する場合などと比較すると、屋根の下方の、梁により仕切られる空間を少なくすることができ、屋根の下方の空間をより有効に利用することができる。
例えば、屋根の下方に部屋を配置する場合には、この部屋の天井を高くしても良いし、また、ベント梁の水平部の下方にできる空間に渡るように床面となる部材を配置して、物置などとして利用しても良い。
【００２０】
なお、ベント梁１Ａは、例えば、登り部１Ａａと水平部１Ａｂとが互いに接合された、への字状の側面を有する構成としたものを好適に用いることができる。また、ベント梁１Ａの形状や材質は、屋根構造１０を支持できれば特に限定されるものではないが、例えば、Ｈ鋼を上述のように接合したものを好適に用いることができる。
【００２１】
また、ベント梁１Ａの水平部１Ａｂを四角枠状に配置するには、例えば、複数のベント梁１Ａが上面から見て略卍状となるように、互いに接合して配置しても良い。
例えば、四つのベント梁１Ａを用いて、各々のベント梁１Ａの登り部側の端部を、建築物の四方の壁（例えば、建築物の四方の壁を形成する壁パネル）に一つずつ固定するとともに、ベント梁１Ａの水平部分１Ａｂが建築物の内面に向かって水平に延出されるように、各々のベント梁１Ａを配置して、ベント梁１Ａの水平部分１Ａｂが四角枠状に組み合わせて配置されるように、互いに接合しても良い。
【００２２】
請求項３記載の屋根構造１０は、請求項１または２記載の屋根構造１０において、上記上部屋根ユニット１１の各上部屋根面の少なくとも一部の上部屋根面を形成する二等辺三角形の上部屋根パネル１２が、二枚の直角三角形の分割屋根パネル１２Ａをその垂辺どうしで接合することにより形成され、かつ、二つの分割屋根パネル１２Ａどうしの接合部分の裏面側に、接合部分に沿うとともに、二つの分割屋根パネル１２Ａに接合された補強部材１２Ｂが設けられていることを特徴とする。
【００２３】
上記構成によれば、上部屋根パネル１２の裏面に、二枚の分割屋根パネル１２Ａの接合部分を補強する補強部材１２Ｂが設けられているので、屋根の施工の際に、上部屋根ユニット１１に、つり上げるのに充分な剛性を持たせることができ、上部屋根ユニット１１を運搬するときや、屋根を施工するときの作業負荷を低減することができる。
【００２４】
請求項４記載の屋根構造１０は、請求項３記載の屋根構造１０において、上記四角枠状の梁（１Ａｂ）の上面には、屋根面１０Ｃの傾斜に対応して傾斜した上面を有するとともに、上記上部屋根ユニット１１の各上部屋根面１０Ｃを形成する上部屋根パネル１２の下端部が載せられる桁材１Ａｆが設けられ、上記補強部材１２Ｂの下端部が上記桁材１Ａｆの屋根の頂点部分１０Ａ側を向いた側面にほぼ当接するようになっていることを特徴とする。
【００２５】
上記構成によれば、ベント梁１Ａの水平部分１Ａｂの上面に備えられている桁材１Ａｆにより、四角枠状の梁（１Ａｂ）の上面で上部屋根ユニット１１を位置決めすることができ、次いで、位置決めした場所で上部屋根ユニット１１を固定できるので、本発明に係る屋根構造１０の施工を容易にすることができる。
【００２６】
また、上部屋根ユニット１１の側面を形成する上部屋根パネル１２は、方行屋根または寄棟屋根の屋根面１０Ｃの傾斜方向に合わせて配置されることになるために、上部屋根パネル１２の自重により、傾斜方向下向きの力が作用することになる。
しかし、上部屋根ユニット１１を規制する桁材１Ａｆが設けられ、補強部材１２Ｂの下端部が桁材１Ａｆにほぼ当接するようになっているので、上部屋根パネル１２が傾斜方向下向きに移動したりすることがない。
【００２７】
請求項５記載の屋根の施工方法は、請求項１〜４のいずれか一つに記載の屋根構造１０を有する屋根の施工方法であって、互いに斜めに接合されることにより接合部が隅棟１０Ｂなどの棟となる少なくとも一対の上部屋根パネル１２を、平面上で、互いに突き合わせるようにして位置合わせするとともに上部屋根パネル１２同士を丁番１３により接合部を中心に回動可能に仮接合する仮接合工程と、該仮接合工程の後に、上部屋根パネル１２同士の接合部を持ち上げることにより、予め斜めに形成された上部屋根パネル１２の接合部側の端面同士を面接触させて、上部屋根パネル１２同士を接合する本接合工程と、上記本接合工程で接合された上部屋根パネル１２を含む上記上部屋根ユニット１１の構築に必要な上部屋根パネル１２を全て接合して上記上部屋根ユニット１１を構築するユニット構築工程と、上記上部屋根ユニット１１を梁（１Ａｂ）上に吊り上げて設置するユニット設置工程と、を備えていることを特徴とする屋根の施工方法。
【００２８】
上記構成によれば、請求項１と同様に、上部屋根ユニット１１を容易に製造することができ、次いで、上部屋根ユニット１１を四角枠状の梁（１Ａｂ）に固定することで、容易に、本発明に係る屋根構造１０を施工することができる。
従って、方行屋根または寄棟屋根を基本構造とする屋根構造１０を有する建築物の施工負荷の低減と、工期短縮とを図ることができる。
【００２９】
なお、上部屋根パネルとは、必ずしも一枚のパネルである必要はなく、複数のパネルからなるものであっても良い。
この場合には、隅棟１０Ｂなどの棟となる部分のパネル同士を、丁番１３により接合部を中心に回動可能に仮接合することができる。また、請求項３記載のように、二等辺三角形状の上部屋根パネル１２が、二枚の直角三角形の分割屋根パネル１２Ａをその垂辺どうしで接合することにより形成されている場合には、該分割屋根パネル１２Ａ同士を、丁番１３により、接合部を中心に回動可能に仮接合することができる。
【００３０】
【発明の実施の形態】
以下に、図１〜６を用いて、本発明の実施の形態の一例の屋根構造１０を図面を参照して説明する。
図１は本発明の実施の形態の一例の屋根構造１０の平面図であり、図２は本実施の形態の屋根構造１０を模式的に示した斜視図である。
また、図３は上部屋根ユニット１１を示す図面であり、図４は本実施の形態の屋根構造１０を支持するベント梁１Ａの側面図であり、図５は本実施の形態におけるベント梁１Ａの配置構造を示す図面であり、図６はベント梁１Ａの接合部分を示す図面である。
【００３１】
本実施の形態の屋根構造１０は、図１、２に示すように、頂点部分１０Ａで交わる４本の隅棟１０Ｂ…を有する方行屋根を基本構造とする屋根構造となっており、隣り合う２本の隅棟１０Ｂ、１０Ｂに囲まれる三角形状の四つの屋根面１０Ｃ…と、該屋根面１０Ｃを支持する四つのベント梁１Ａ…と、等から構成されている。
そして、屋根構造１０の四つの屋根面１０Ｃ…は、頂点部分１０Ａ側を形成する上部屋根ユニット１１と、屋根面１０Ｃ…の下側の中央部を形成する矩形状の屋根パネル１６…と、屋根面１０Ｃ…の下側の左右両端部分を形成する三角形状の屋根パネル１７…とが、互いに同一面上に敷き詰められることで形成されている。
そして、前記屋根面１０Ｃ…とベント梁１Ａ…とが一体となって、屋根構造１０を有する建築物の小屋組が形成されている。
【００３２】
上部屋根ユニット１１は、図３（ａ）に示すように、上部屋根面となる四つの二等辺三角形の上部屋根パネル１２…の側縁部同士が、丁番１３…により互いに接合されており、屋根構造１０の隅棟１０Ｂ…に合わせた四角錘状に形成されている。隣り合う二つの上部屋根パネル１２…は、各々、二つの丁番１３…を用いて接合されている。二つの丁番１３…は、各々、側縁部の上方と下方に配置されている。
【００３３】
四つの上部屋根パネル１２…は、各々、直角三角形状の分割屋根パネル１２Ａ、１２Ａをその垂辺どうしで互いに接合して、二つの隅棟１０Ｂ、１０Ｂとその交わる頂点部分１０Ａの形状に合わせた二等辺三角形状に形成されている。また、分割屋根パネル１２Ａ、１２Ａの接合部分には、裏面に接合部分を補強する補強部材１２Ｂ…が、接合部分に沿うように設けられている。
分割屋根パネル１２Ａ、１２Ａは周知のパネル工法で用いられるパネルであって、図３（ｂ）に示すように、框材１２ＡＢａ、１２ＡＢｂを組んでなる枠体の内部に、補助棧材（図示しない）を配置するとともに、枠体の上部屋根面となる面に面材１２ＡＡａ、１２ＡＡｂを取り付けたものとなっている。
【００３４】
隣接する二つの上部屋根パネル１２、１２の接合部分は、図３（ｂ）に示すようになっている。
上部屋根パネル１２、１２を隅棟１０Ｂの角度に合わせて接合してできる楔状の隙間には、該隙間に対応する形状の接合桁材１４ａ、１４ｂが備えられている。接合桁材１４ａは框材１２ＡＢａに固定して備えられ、接合桁材１４ｂは框材１２ＡＢｂに固定して備えられており、そして、接合桁材１４ａと接合桁材１４ｂの端面どうしが、隅棟１０Ｂの部分で互いに接合されている。
また、上部屋根パネル１２、１２を形成する分割屋根パネル１２Ａの面材１２ＡＡａ、１２ＡＡｂの上面どうしが、隅棟１０Ｂに跨って配置される丁番１３により互いに接合されるとともに、接合部分の裏面には隅棟補強金物１５が備えられている。
【００３５】
なお、丁番１３…は、上部屋根パネル１２…を隅棟１０Ｂに合わせて互いに接合できれば、図示した形状の丁番１３に限定されずに、各種丁番を用いることができる。
【００３６】
ベント梁１Ａは、屋根面１０Ｃ…を支持する屋根梁となるものであって、図４に示すように、登り部１Ａａと水平部１Ａｂとを一体に備えており、側面がへの字状のＨ鋼製のものとなっている。
図４に示すように、登り部１Ａａは、屋根面１０Ｃに合わせた傾斜となっており、ベント梁１Ａの登り部１Ａａ側の端部が、建築物の四方の壁を形成する壁パネル１Ｂに、梁受け金物１Ａｄを用いて固定されている。そして、ベント梁１Ａは、登り部１Ａａの端部が壁パネル１Ｂに固定された状態で、水平部１Ａｂが水平に延出するように配置されている。
水平部１Ａｂの上面には下地材１Ａｅが備えられており、下地材１Ａｅの上面には桁材１Ａｆが備えられている。該桁材１Ａｆは、屋根面１０Ｃの傾斜に対応して傾斜した上面を有している。また、桁材１Ａｆは、上部屋根ユニット１１を設置したときに、上部屋根ユニット１１の補強部材１２Ｂが配置されることになる位置に対応する位置に備えられている。そして、上部屋根ユニット１１を配置したときに、補強部材１２Ｂの下端部が、桁材１Ａｆの頂点部分１０Ａ側を向いた側面にほぼ当接するようになっている。
従って、上部屋根ユニット１１は、桁材１Ａｆに支持されるとともに、例えば、桁材１Ａｆを貫通して、上部屋根パネル１２と下地材１Ａｅとを釘打ちなどにより固定して、ベント梁の水平部１Ａｂの上面に固定することができる。
【００３７】
ベント梁１Ａは、図５の平面図に図示するように、ベント梁１Ａの登り部１Ａａの端部が、建築物の四方の壁パネル１Ｂに、各々、梁受け金物１Ａｄにより固定されている（図５のＢで示す四つの位置）。
そして、ベント梁１Ａの水平部分１Ａａ同士が、梁受け金物１Ａｃにより、上面から見て略卍状に配置されるように互いに接合されている（図５のＡで示す四つの位置）。これにより、水平部分１Ａａは、方行屋根の屋根構造１０のほぼ中央部で、四角枠状となるように互いに接合されており、上面に、上部屋根ユニット１１を支持できるものとなっている。
また、ベント梁１Ａの水平部分１Ａｂには、該水平部分１Ａｂどうしを互いに接合する位置に、梁受け金物１Ａｃをボルト等で固定するための受け穴１Ａｇ…が設けられている（図６に図示）。
【００３８】
梁受け金物１Ａｃは、図６に示すように、該梁受け金物１Ａｃの高さＬ2が、Ｈ鋼製のベント梁１Ａの内面の高さＬ1よりも、わずかに小さな寸法を有している。また、梁受け金物１Ａｃは、ベント梁１Ａを接合するための受け穴１Ａｃａ…を備えている。
これにより、梁受け金物１Ａｃは、接合部分において二つのベント梁１Ａの内面に収容されて、ボルト１Ａｃｂ…、ナット１Ａｃｅ…、ワッシャ１Ａｃｃ…、１Ａｃｄ…を用いて、二つのベント梁１Ａを互いに直交して固定することができるものとなっている。
【００３９】
屋根パネル１６…と屋根パネル１７…は、図１、２に示すように、周知のパネル工法で用いられるパネルであり、屋根面１０Ｃ…を形成するものとなっている。屋根パネル１６…は矩形状を有しており、三角形状の屋根面１０Ｃ…の下方を形成するものとなっており、屋根パネル１７…は三角形状を有しており、屋根面１０Ｃ…の下方の左右端部を形成するものとなっている。
また、屋根パネル１６…と屋根パネル１７…は、壁パネル１Ｂよりも延出する大きさを有しており、延出した部分が建築物の軒先を形成するようになっている。
また、図１に示すように、互いに接合される屋根パネル１６…と屋根パネル１７…の裏面には、接合部分を補強する補強部材１８…が備えられている。補強部材１８…のうち、屋根パネル１７と屋根パネル１６の接合部分の裏面に備えられる補強部材１８…については、他の補強部材１８…よりも長くされて、ほぼ隅棟１０Ｂの位置まで延在して備えられている。なお、図１や図５に示すように、長くされた補強部材１８…の位置にはベント梁１Ａが配置されていない。
また、互いに接合される屋根面１０Ｃ…の裏面には、接合部分を補強する補強部材１９…が備えられている。補強部材１９…は、隣接して配置される三角形状の屋根パネル１７…の裏面に配置されている。
【００４０】
また、屋根パネル１６…と屋根パネル１７…の形状を変化させれば、同一形状の上部屋根ユニット１１を用いて、容易に、広範な屋根形状に対応することができる。
【００４１】
次に、前記方行屋根の屋根構造１０を有する建築物の施工方法を、屋根構造１０の施工を主体に説明する。
始めに、工場等の製造場所において、ほぼ直角三角形状を有する分割屋根パネル１２Ａ…、屋根パネル１６…、屋根パネル１７…、ベント梁１Ａなどを、予め、製造する。
また、分割屋根パネル１２Ａ…は、互いに斜めに接合して隅棟１０Ｂの部分を形成するパネルであり、分割屋根パネル１２Ａ…どうしの接合部分側の端面には、図３（ｂ）に示すように、接合桁材１４ａ、１４ｂを一体に備えておく。接合桁材１４ａ、１４ｂは、分割屋根パネル１２Ａ…どうしの接合部分に合わせて、予め、斜めに形成されている。
【００４２】
次いで、上部屋根ユニット１１を、例えば、以下のように製造する。
始めに、平面上で、二枚のほぼ直角三角形状を有する分割屋根パネル１２Ａ、１２Ａを、互いに突き合わせるようにして位置合わせしながら、丁番１３…により、接合部を中心に回動可能に仮接合する。分割屋根パネル１２Ａ、１２Ａには、予め、接合桁材１４ａ、１４ｂが備えられている。
そして、分割屋根パネル１２Ａ、１２Ａを、隅棟１０Ｂの角度に合うように互いに位置あわせして、分割屋根パネル１２Ａ、１２Ａの互いの斜辺どうしが隣接するように仮接合する（仮接合工程）。
また、仮接合部分に接着剤を塗布するとともに、丁番１３…により仮接合された部分を持ち上げるようにし、隅棟１０Ｂ…の角度に合わせて接合桁材１４ａと接合桁材１４ｂの端面同士を面接触させて本接合する（本接合工程）。この際に、本接合は、接着剤による接着と釘打ちを併用して行う。以上により、隅棟１０Ｂ…の角度に合わせて、互いに斜めに接合された一対の分割屋根パネル１２Ａ、１２Ａ（以下、分割屋根ユニット）を製造する。
【００４３】
また、上部屋根ユニット１１の四つの隅棟１０Ｂ…部分の各々について、以上の作業を行い、上記分割屋根ユニットを四つ製造する。
次いで、四つの上記分割屋根ユニットを、互いの分割屋根パネル１２Ａの垂辺同士で、接着や釘打ちなどにより接合するとともに、分割屋根パネル１２Ａの垂辺同士の接合部分の裏面に渡るようにして、接合部分を補強するための補強部材１２Ｂ…を備える。これにより、二つの分割屋根パネル１２Ａ、１２Ａが接合されて、四方に流れる四つの二等辺三角形状の屋根面１０Ｃが形成される。
以上により、図３（ａ）に示すように、上部屋根ユニット１１を製造することができる（ユニット構築工程）。
【００４４】
また、ベント梁１Ａ…の水平部１Ａｂ…には、例えば、図４に示す下地材１Ａｅ…や桁材１Ａｆ…を、予め、備えて製造する。
【００４５】
次いで、施工現場において、屋根構造１０を施工する建築物の、屋根構造１０の下方を施工する。
始めに、四つのベント梁１Ａ…の水平部１Ａｂ…同士を、梁受け金物１Ａｃ…を用いて、互いに接合して、図５の平面図に示すような略卍状に接合する。これにより、方行屋根の屋根構造１０の中央部に、四つのベント梁１Ａ…の水平部１Ａｂ…を同一面上で四角枠状に接合することができる。
【００４６】
次いで、例えば、クレーン等の移動手段により、上部屋根ユニット１１を一体に吊り上げて、四角枠状に接合された水平部１Ａｂ…に配置して固定する（ユニット構築工程）。このとき、上部屋根ユニット１１の裏面に配置されている補強部材１２Ｂ…の下端部を、桁材１Ａｆ…の頂点部分１０Ａ側を向いた側面に支持させて固定する。また、桁材１Ａｆ…を貫通するようにして、上部屋根パネル１２と下地材１Ａｅとを接着剤や釘打ちなどにより固定する。
なお、クレーン等の移動手段により、上部屋根ユニット１１を一体に吊り上げるには、例えば、上部屋根ユニット１１の底面の複数箇所に、吊り上げのためのワイヤーなどを取り付けることになる。この場合には、上部屋根ユニット１１を吊り上げたときに、ワイヤーなどを取り付ける複数の取付部分に、均等に荷重がかかるようにすることが好ましい。例えば、上部屋根ユニット１１を底辺の四つの頂点部分で吊り上げるように、ワイヤーなどを取り付けるようにすれば、好適に、上部屋根ユニット１１を吊り上げることができる。
以上により、屋根面１０Ｃの頂点部分１０Ａ側を形成する上部屋根ユニット１１を強固に固定することができる。
【００４７】
また、上部屋根ユニット１１の下方に、矩形状の屋根パネル１６…と三角形状の屋根パネル１７…を敷き詰めて互いに接合する。
以上により、互いに頂点部分１０Ａで交わる隅棟１０Ｂ…の形状に合わせた方行屋根を基本構造とする屋根構造１０を施工することができる。
【００４８】
なお、屋根構造１０の施工は、例えば、以下の通りに行っても良い。
すなわち、予め、例えば地上で、ベント梁１Ａの水平部１Ａｂが四角枠状に配置されるように、ベント梁１Ａを接合する。また、水平部１Ａｂの上面に上部屋根ユニット１１を固定するとともに、上部屋根ユニット１１の下方に、屋根パネル１６…や屋根パネル１７…となどを一体に固定しておく。
これにより、上部屋根ユニット１１の側面と屋根パネル１６…と屋根パネル１７…と等からなる屋根面１０Ｃ…と、ベント梁１Ａ…と、等を、互いに頂点部分１０Ａで交わる隅棟１０Ｂ…の形状に合わせた屋根構造１０となるように、一体に固定することができる。
【００４９】
次いで、屋根面１０Ｃ…とベント梁１Ａ…と等が一体に固定された状態で、この全体を、例えば、クレーン等の移動手段で、建築物の施工位置に移動するとともに固定しても良い。
【００５０】
なお、以上の建築物の施工において、各種パネルの接合は周知のパネル工法と同様に行うことができ、例えば、ダボによって位置決めするとともに、接着剤や釘打ち等を用いて行うことができる。
【００５１】
また、上部屋根パネル１２の接合部分の裏面に備えられる補強部材１２Ｂは、建築物の施工計画に合わせて取り付ければ良く、例えば、施工現場で取り付けても良い。
同様に、ベント梁１Ａ…の上面に備えられる下地材１Ａｅ…や桁材１Ａｆ…などについても、例えば、施工現場において取り付けても良い。
【００５２】
また、以上の屋根構造１０の施工において、上部屋根ユニット１１の製造は、例えば、以下の通り行っても良い。
始めに、二つの、接合桁材１４ａ、１４ｂを一体に備えた分割屋根パネル１２Ａ、１２Ａを、互いの垂辺同士で接着や釘打ちなどにより互いに接合して、二等辺三角形状の上部屋根パネル１２を形成する。
次いで、上述の分割屋根ユニットの形成と同様にして、平面上で、二つの上部屋根パネル１２、１２を位置あわせをしながら、丁番１３…により、隅棟１０Ｂの角度に合うようにして仮接合する。また、仮接合部分には接着剤を塗布しておく。また、仮接合部分を持ち上げるようにして、接合桁材１４ａと接合桁材１４ｂとが面接触するとともに、接着と釘打ちなどにより、隅棟１０Ｂの角度に合わせて互いに接合する。
以上により、隅棟１０Ｂ…の角度に合わせて、互いに斜めに接合された一対の上部屋根パネル１２、１２（以下、上部屋根パネルユニット）を製造する。
次いで、二つの上部屋根パネルユニットを、接着と釘打ちなどにより、互いに接合することにより、図３（ａ）に示すように、上部屋根ユニット１１を製造することができる。
【００５３】
また、本実施の形態においては、方行屋根を基本構造とする屋根構造１０を説明したが、同様にして、寄棟屋根にも適用することができる。
すなわち、寄棟屋根においても、隅棟などの棟となる部分において、互いに斜めに接合される部分を形成するパネルについては、丁番１３を用いることで、所定の角度に容易に角度と位置を合わせて接合することができ、本発明の構成が好適に適用可能である。
【００５４】
以上の本発明の実施の形態の屋根構造１０によれば、丁番１３を用いて接合することにより、容易に、隅棟１０Ｂの角度に合わせて接合することができるとともに、接合精度も、容易に、確保することができる。
【００５５】
また、上部屋根ユニット１１は、予め、工場等の製造場所で製造しておくことができるので、施工現場での施工の負荷を低減して、建築物の施工の工期短縮を図ることができる。
【００５６】
また、屋根構造１０の施工は、単に、上部屋根ユニット１１を、四角枠状に接合されたベント梁１Ａ…の水平部１Ａｂ…に固定するとともに、上部屋根ユニット１１の下方に、屋根パネル１６…、１７…を接合すれば良いので、さらに施工を容易にできるとともに工期短縮を図ることができる。
【００５７】
また、上部屋根パネル１２…の裏面に接合部分を補強する補強部材１２Ｂ…が備えられているので、屋根構造１０の施工の際に、上部屋根ユニット１１を吊り上げるのに充分な剛性を付与することができる。
また、ベント梁１Ａ…の水平部１Ａｂ…の上面に桁材１Ａｆ…が備えられているので、屋根構造１０の施工の際に、強固に上部屋根ユニット１１を取り付けることができる。
【００５８】
なお、本発明は上記実施の形態に限定されるものではない。すなわち、本発明の趣旨を逸脱しない範囲において、種々変形して実施することができる。
【００５９】
【発明の効果】
請求項１記載の屋根構造によれば、四つの上部屋根パネルのうちの少なくとも一部の屋根パネルどうしを、丁番により、隅棟などの棟となる部分に合わせた所定の角度と位置で、容易に、接合することができる。
さらに、例えば釘打ちなどの機械的締結方法を併用して用いるなどして、容易に、隅棟の勾配に合わせた上部屋根ユニットを形成することができる。
また、丁番により接合される屋根パネルは、例えば、平面上で、容易に位置合わせすることができるので、屋根パネルの接合精度を容易に確保することができる。
また、上部屋根ユニットは、予め、工場等の製造場所で製造することができるので、施工現場での施工の負荷を低減して工期短縮を図ることができる。
【００６０】
また、丁番により接合された上記屋根パネルの接合部分は、丁番により回動自在になっているので、接合部分を持ち上げるようにすると、上部屋根パネルの自重により、屋根パネルの接合部分が圧締され、接着剤により好適に接合することができる。
【００６１】
請求項２記載の屋根構造によれば、請求項１と同様の効果を奏することができるとともに、ベント梁には方行屋根の傾斜方向に沿った登り部が備えられているので、方行屋根の下方の梁により仕切られる空間を少なくすることができ、方行屋根の下方の空間をより有効に利用することができる。
【００６２】
請求項３記載の屋根構造によれば、請求項１または２と同様の効果を奏することができるとともに、二等辺三角形状に形成されることになる屋根面を、二枚の直角三角形状の分割屋根パネルから製造できる。また、上部屋根パネルの裏面に接合部分を補強する補強部材を備えているので、上部屋根パネルに剛性を付与することができる。
【００６３】
請求項４記載の屋根構造によれば、請求項３と同様の効果を奏することができるとともに、梁の水平部の上面に、上部屋根ユニットを規制する桁材が備えられているので、屋根構造の施工の際に、上部屋根ユニットの位置決めができるとともに、強固に上部屋根ユニットを取り付けることができる。
【００６４】
請求項５記載の屋根の施工方法によれば、請求項１から４のいずれか一つと同様の効果を奏することができるとともに、上部屋根ユニットを容易に製造することができるとともに、上部屋根ユニットを四角枠状の梁に固定することで、容易に本発明に係る屋根構造を施工することができる。
従って、複数本の隅棟を有する建築物の施工負荷の低減と、工期短縮とを図ることができる。
【図面の簡単な説明】
【図１】本発明の実施の形態の一例の屋根構造１０の平面図である。
【図２】上記例の屋根構造１０を模式的に示した斜視図である。
【図３】上記例の屋根構造１０で用いる上部屋根ユニット１１を示す図面である。
【図４】上記例の屋根構造１０を支持するベント梁１Ａの側面図である。
【図５】上記例のベント梁１Ａの配置構造を示す平面図である。
【図６】上記例のベント梁１Ａの接合部分を示す図面である。
【符号の説明】
１０      屋根構造
１０Ａ    頂点部分
１０Ｂ    隅棟
１０Ｃ    屋根面
１１      上部屋根ユニット
１２      上部屋根パネル
１２Ａ    分割屋根パネル
１２Ｂ    補強部材
１３      丁番
１Ａ      ベント梁
１Ａａ    登り部
１Ａｂ    水平部
１Ａｆ    桁材
【図１】
0004272325.tif 000002
【図２】
0004272325.tif 000003
【図３】
0004272325.tif 000004
【図４】
0004272325.tif 000005
【図５】
0004272325.tif 000006
【図６】
0004272325.tif 000007